(57)【要約】【課題】  集客力を向上させることができると共に、不正使用を防止することができる値引きシール及びその使用方法を提供する。【解決手段】  値引きシールを設けた値引きシールシートが、１又は複数の値引きシール図柄を表面に印刷した印刷紙と、裏面に部分的に塗布された接着剤層と、引き剥がし可能な付着状態で重畳された剥離紙とを有し、値引きシール図柄の輪郭内領域は、商品に貼付されるべく裏面に接着剤層を塗布された商品貼付部と、切り取られるべく裏面に接着剤層を塗布されていない切取用半券部とを具備し、値引きシール図柄の輪郭に沿って切込み状の切離線部を形成してなる。【選択図】  図１
2005292267.tif 000002
【特許請求の範囲】
【請求項１】
１又は複数の値引きシールを設けた値引きシールシートにおいて、
１又は複数の値引きシール図柄を表面に印刷した印刷紙と、該印刷紙の裏面に部分的に塗布された接着剤層と、該接着剤層に対して引き剥がし可能な付着状態で重畳された剥離紙とを有し、
前記印刷紙の前記値引きシール図柄の輪郭内領域は、値引き内容を表示可能でかつ商品に貼付されるべく裏面に前記接着剤層を塗布された商品貼付部と、切り取られるべく裏面に前記接着剤層を塗布されていない切取用半券部とを具備すると共に、該値引きシール図柄の輪郭に沿って切込み状の切離線部を形成したことを特徴とする
値引きシールシート。
【請求項２】
前記商品貼付部と前記切取用半券部とが隣接して設けられ、互いの境界線の位置する前記印刷紙に対してミシン目を形成したことを特徴とする
請求項１に記載の値引きシールシート。
【請求項３】
前記商品貼付部と前記切取用半券部とが隣接して設けられ、互いの境界線の両端位置において前記印刷紙に切欠きを形成したことを特徴とする
請求項１に記載の値引きシールシート。
【請求項４】
前記商品貼付部と前記切取用半券部とが隣接して設けられ、互いの境界線の位置する前記印刷紙に対してミシン目を形成すると共に該境界線の両端位置において該印刷紙に切欠きを形成したことを特徴とする
請求項１に記載の値引きシールシート。
【請求項５】
値引きシールにおいて、
値引きシール図柄を表面に印刷した印刷紙と、該印刷紙の裏面に部分的に塗布された接着剤層と、該接着剤層に対して引き剥がし可能な付着状態で重畳された剥離紙とを有し、
前記印刷紙は、値引き内容を表示可能でかつ商品に貼付されるべく裏面に前記接着剤層を塗布された商品貼付部と、切り取られるべく裏面に前記接着剤層を塗布されていない切取用半券部とを具備することを特徴とする
値引きシール。
【請求項６】
前記商品貼付部と前記切取用半券部とが隣接して設けられ、互いの境界線の位置する前記印刷紙に対してミシン目を形成したことを特徴とする
請求項５に記載の値引きシール。
【請求項７】
前記商品貼付部と前記切取用半券部とが隣接して設けられ、互いの境界線の両端位置において前記印刷紙に切欠きを形成したことを特徴とする
請求項５に記載の値引きシール。
【請求項８】
前記商品貼付部と前記切取用半券部とが隣接して設けられ、互いの境界線の位置する前記印刷紙に対してミシン目を形成すると共に該境界線の両端位置において該印刷紙に切欠きを形成したことを特徴とする
請求項５に記載の値引きシール。
【請求項９】
値引き表示を含む値引きシール図柄を表面に印刷した印刷紙と、該値引き表示が印刷されかつ該印刷紙の裏面に部分的に塗布された接着剤層と、該接着剤層に対して引き剥がし可能な付着状態で重畳された剥離紙とを有し、前記印刷紙は、商品に貼付されるべく裏面に前記接着剤層を塗布された商品貼付部と、切り取られるべく裏面に前記接着剤層を塗布されていない切取用半券部とを具備する値引きシールの使用方法において、
前記剥離紙から引き剥がされた前記印刷紙をその商品貼付部の接着剤層により顧客の選択に係る商品に添着し、その後店舗レジにて前記切取用半券部を切り取ることを特徴とする
値引きシールの使用方法。
【発明の詳細な説明】
【技術分野】
【０００１】
本発明は、小売り店舗等に並べられた商品に貼付する値引きシール等に関する。
【背景技術】
【０００２】
現在、食品や雑貨等の小売り店舗に並べられた商品の多くは、バーコードが印刷され、店舗レジにてバーコードを読み取り、精算を行っている。しばしば行われる店舗側のサービスとして、バーコードの表す価格より値引きを行う際に値引額や値引率を表示した値引きシールを商品に貼付し、店舗レジにてバーコードで精算した後に、レジ担当者が値引きシールを見てそれに表示された値引額を差し引いたり値引率を適用したりすることがある（特許文献１、２及び３参照）。
【０００３】
また、バーコードを用いない場合でも、元の価格表示シールを貼付したままで、さらに値引きシールを貼付し、店舗レジにて精算する際にレジ担当者が値引きシールを見て値引きすることもある。
【特許文献１】特開平６−８９０７２号公報
【特許文献２】特開平７−７２７９８号公報
【特許文献３】特開平９−２２２８５５号公報
【発明の開示】
【発明が解決しようとする課題】
【０００４】
従来の値引きシールは、予め店舗側が選択した商品に対して店舗自身が貼付するという使用方法が一般的である。このような特別価格商品の提供方法は、店舗側からの一方的なものであり、顧客にとって目新しいものではなく、次第に魅力を失いつつあり、集客力が低下してきている。
また、別の問題点として、所定の商品に貼付された値引きシールを、顧客が勝手に他の商品に貼り替えたり、購入した商品に貼られたままの値引きシールを剥がして後日再使用しようとしたりする不正も発生している。
【０００５】
以上の問題点に鑑み、本発明は、顧客にとって魅力と利用価値があり、集客力を向上させることができると共に、不正使用を防止することができる新規の値引きシール等及びその使用方法を提供することを目的とする。
【課題を解決するための手段】
【０００６】
上記の目的を実現すべく、本発明は以下の構成を提供する。
（１）請求項１に係る発明は、１又は複数の値引きシールを設けた値引きシールシートにおいて、
１又は複数の値引きシール図柄を表面に印刷した印刷紙と、該印刷紙の裏面に部分的に塗布された接着剤層と、該接着剤層に対して引き剥がし可能な付着状態で重畳された剥離紙とを有し、
前記印刷紙の前記値引きシール図柄の輪郭内領域は、値引き内容を表示可能でかつ商品に貼付されるべく裏面に前記接着剤層を塗布された商品貼付部と、切り取られるべく裏面に前記接着剤層を塗布されていない切取用半券部とを具備すると共に、該値引きシール図柄の輪郭に沿って切込み状の切離線部を形成したことを特徴とする。
【０００７】
（２）請求項２に係る発明は、請求項１の値引きシールシートにおいて、前記商品貼付部と前記切取用半券部とが隣接して設けられ、互いの境界線の位置する前記印刷紙に対してミシン目を形成したことを特徴とする。
【０００８】
（３）請求項３に係る発明は、請求項１の値引きシールシートにおいて、前記商品貼付部と前記切取用半券部とが隣接して設けられ、互いの境界線の両端位置において前記印刷紙に切欠きを形成したことを特徴とする。
【０００９】
（４）請求項４に係る発明は、請求項１の値引きシールシートにおいて、前記商品貼付部と前記切取用半券部とが隣接して設けられ、互いの境界線の位置する前記印刷紙に対してミシン目を形成すると共に該境界線の両端位置において該印刷紙に切欠きを形成したことを特徴とする。
【００１０】
（５）請求項５に係る発明は、値引きシールにおいて、
値引きシール図柄を表面に印刷した印刷紙と、該印刷紙の裏面に部分的に塗布された接着剤層と、該接着剤層に対して引き剥がし可能な付着状態で重畳された剥離紙とを有し、
前記印刷紙は、値引き内容を表示可能でかつ商品に貼付されるべく裏面に前記接着剤層を塗布された商品貼付部と、切り取られるべく裏面に前記接着剤層を塗布されていない切取用半券部とを具備することを特徴とする。
【００１１】
（６）請求項６に係る発明は、請求項５の値引きシールにおいて、前記商品貼付部と前記切取用半券部とが隣接して設けられ、互いの境界線の位置する前記印刷紙に対してミシン目を形成したことを特徴とする。
【００１２】
（７）請求項７に係る発明は、請求項５の値引きシールにおいて、前記商品貼付部と前記切取用半券部とが隣接して設けられ、互いの境界線の両端位置において前記印刷紙に切欠きを形成したことを特徴とする。
【００１３】
（８）請求項８に係る発明は、請求項５の値引きシールにおいて、前記商品貼付部と前記切取用半券部とが隣接して設けられ、互いの境界線の位置する前記印刷紙に対してミシン目を形成すると共に該境界線の両端位置において該印刷紙に切欠きを形成したことを特徴とする。
【００１４】
（９）請求項９に係る発明は、値引き表示を含む値引きシール図柄を表面に印刷した印刷紙と、該値引き表示が印刷されかつ該印刷紙の裏面に部分的に塗布された接着剤層と、該接着剤層に対して引き剥がし可能な付着状態で重畳された剥離紙とを有し、前記印刷紙は、商品に貼付されるべく裏面に前記接着剤層を塗布された商品貼付部と、切り取られるべく裏面に前記接着剤層を塗布されていない切取用半券部とを具備する値引きシールの使用方法において、
前記剥離紙から引き剥がされた前記印刷紙をその商品貼付部の接着剤層により顧客の選択に係る商品に添着し、その後店舗レジにて前記切取用半券部を切り取ることを特徴とする。
【発明の効果】
【００１５】
本発明では、商品に貼着して用いる値引きシールが、接着剤層を塗布した商品貼付部と、接着剤層を塗布していない切取用半券部の２つの部分を具備しており、切取用半券部と切り離されていない状態で商品貼付部を、店舗に並べられた商品に貼付し、顧客が店舗レジにて精算する際にレジ担当者が切取用半券部を切り取ると共に、値引き表示に従って値引きを行う。これにより、切取用半券部を切り取られた商品貼付部のみでは値引きシールとして無効であるので、顧客が不正に再使用することが防止される。
【００１６】
また、本発明の値引きシールは、店舗側から顧客に対して配布され、それを顧客が店舗における買い物において用いることができる。すなわち、店舗側が幾つか提示した値引き対象商品の中から顧客自身が所望する商品を選択して当該商品に貼付して用いることが好適である。これにより、顧客にとって満足度の高い魅力的な値引きサービスを実現でき、集客力を向上させることができる。
【００１７】
また、値引きシールを複数枚含む値引きシールシートは、特に顧客にとって多くの選択肢と大きな値引き額を提供するので好適であると共に、一枚一枚剥離紙から引き剥がして使用できるので使い易い。さらに、商品貼付部と切取用半券部の境界線にミシン目や切欠きを形成したものは、切り取り易いので好適である。
【００１８】
本発明の値引きシールは、切取用半券部の切り取り前であれば他人にプレゼントすることもでき、多用な利用方法が可能である。
【発明を実施するための最良の形態】
【００１９】
以下、図面を参照しつつ本発明の実施の形態を説明する。
図１は、本発明による値引きシールシート１の全体平面図である。本発明の値引きシールシートは、いわゆる剥離紙付き接着シートの形態である。図２Ａ〜Ｃは、図１の値引きシールシート１の各部分断面図であるが、構造を理解し易いようにシートの厚さを誇張して示している。図２は図１のＡ−Ａ断面図である。図２Ｂは、図１のＢ−Ｂ断面図である。図２Ｃは、剥離紙から引き剥がされた１枚の値引きシールの断面図である。
【００２０】
図１を参照すると、値引きシールシート１には、１又は複数の値引きシール１１を設けることができる。１枚の値引きシールシート１に設ける値引きシール１１の枚数は任意である。図示の例では、５枚の値引きシール１１が設けられている。１枚の値引きシール１１には、例えば「表示価格より３０円引き」等の値引き内容が表示された値引きシール図柄が印刷紙１０の表面に印刷されている。尚、全ての表示内容を当初から印刷しておいてもよいが、例えば、「３０」という値引き額の欄だけを空欄にしてその他の内容を印刷し、値引きシールシート１を使用する前に店舗側が適宜の数字を空欄に手書きしてもよい。すなわち、値引きシール図柄は、当初から印刷する場合でも、後から書き加える場合でも、値引き内容を表示可能であればよい。印刷紙１０は薄膜シートであり、材質は紙材料でもプラスチック材料でもよい。値引きシール１１以外の部分には、値引きシール１１を使用するにあたっての注意事項等が印刷されている。
【００２１】
図２ＡのＡ−Ａ断面図は、値引きシール１１の設けられていない部分における断面図である。印刷紙１０の裏面には接着剤層２０が塗布されている。さらに、接着剤層２０の下には剥離紙３０が重ねられている。付着紙３０は、接着剤層２０に対して引き剥がし可能に付着した状態で重畳されている。
【００２２】
再び図１を参照すると、印刷紙１０表面の値引きシール１１の図柄の輪郭内領域には、２つの領域が設けられれる。１つは商品貼付部１１ａであり、もう１つは切取用半券部１１ｂである。商品貼付部１１ａと切取用半券部１１ｂは、境界線で隣接しており当初は一体となっている。商品貼付部１１ａには値引き表示が印刷されかつ値引きシールの使用過程において商品に貼付される部分であり、その領域の印刷紙１０の裏面には接着剤層が塗布されている。一方、切取用半券部１１ｂは、値引きシール１１の使用過程において切り取られる部分であり、その領域の印刷紙１０の裏面には接着剤層が塗布されていない。切取用半券部１１ｂは、図示の例のように商品貼付部１１ａと下辺が共通で縦の長さが短く形成されていると、商品貼付部１１ａの右辺と切取用半券部１１ｂの上辺が直角をなすのでこの角部分を引っ張ることにより切取用半券部１１ｂを切り取り易い。さらに、値引きシール１１の図柄の輪郭に沿って切込み状の切離線部１２が形成されている（図２Ｂ参照）。切離線部１２の部分では、印刷紙１０が切断されており（剥離紙３０は切断されていない）、値引きシール１１を１枚ずつ剥離紙３０から引き剥がすことができる。
【００２３】
図２ＢのＢ−Ｂ断面は、値引きシール１１を設けた部分の断面構造を示している。値引きシール１１の商品貼付部１１ａの裏面には接着剤層２０が存在し、切取用半券部１１ｂの裏面には接着剤層２０は存在しない。よって、切取用半券部１１ｂの裏面は剥離紙３０に固定されていないため、矢印のように浮き上がり易く、手で容易に起こすことができる（破線で示す状態）。このように、接着剤層２０は、印刷紙１０の裏面全体に塗布されているのではなく、部分的に塗布されていることになる。
【００２４】
図２Ｃは、値引きシールシート１から引き剥がした状態の１枚の値引きシール１１の断面図である。商品貼付部１１ａの裏面にのみ接着剤層２０があり、切取用半券部１１ｂの裏面には接着剤層はない。
【００２５】
尚、図１の値引きシールシート１は、複数の値引きシール１１を設けたものであるが、別の実施例として、値引きシール１１を単体で（すなわち値引きシール１１の輪郭外の部分なしで）作製し、１枚ずつ使用することもできる。
【００２６】
図３Ａ〜Ｃは各々、値引きシール１１の種々の好適態様を示す平面図である。図３Ａでは、図１の値引きシール１１と同じ輪郭形状であり、商品貼付部１１ａと切取用半券部１１ｂとが隣接して設けられるが、互いの境界線の位置する印刷紙に対してミシン目１３を形成している。ミシン目１３があることにより、さらに容易に切取用半券部１１ｂを切り取ることができる。
【００２７】
図３Ｂでは、同様に商品貼付部１１ａと切取用半券部１１ｂとが隣接して設けられるが、互いの境界線の両端位置において印刷紙に切欠き１４ａ、１４ｂを形成している。これらの切り欠き１４ａ、１４ｂがあることにより、さらに容易に切取用半券部１１ｂを切り取ることができる。
【００２８】
図３Ｃでは、同様に商品貼付部１１ａと切取用半券部１１ｂとが隣接して設けられるが、互いの境界線の位置する印刷紙に対してミシン目１３を形成すると共にこの境界線の両端位置において印刷紙に切欠き１４ａ、１４ｂを形成している。ミシン目１３及び切欠き１４ａ、１４ｂがあることにより、さらに容易に切取用半券部１１ｂを切り取ることができる。
【００２９】
図４を参照しつつ本発明による値引きシールシート又は値引きシールの使用方法を説明する。
【００３０】
第一工程：顧客に対して本発明の値引きシールシートを配布する。配布方法は、例えば、店頭において顧客が来店したときに渡す。
【００３１】
第二工程：顧客は、店舗が指定している数種の値引き対象商品のうち、所望する商品に値引きシールを貼付する。図４Ａは、商品５０に値引きシール１１を貼付した状態を示す斜視図である。この時点では、値引きシール１１の商品貼付部１１ａに切取用半券部１１ｂが連結しているので、値引きシール１１は有効である。値引きシールシートから値引きシール１１を引き剥がす際には、固定されていない切取用半券部１１ｂの部分をもって軽く引っ張れば容易に剥がすことができる。このとき顧客は、正規の価格を表示するバーコードや価格表示部等の上に値引きシールを重ねて貼らないように注意する。値引きシールによる値引きは、正規の価格がレジで精算された後に適用されるので、正規の価格表示が認識可能であることが必要だからである。顧客は、値引きシール１１を貼付した商品をレジに持参する。
【００３２】
第三工程：レジで精算した後、レジ担当者は値引きシール１１の切取用半券部１１ｂを切り取り、値引きシールの値引き表示に従って正規の価格に対して値引きを適用する。図４Ｂは、切取用半券部１１ｂの切り取り後の商品５０の状態を示す斜視図である。切取用半券部１１ｂを切り取られた後の商品貼付部１１ａはもはや値引きシールとしては無効となる。
【図面の簡単な説明】
【００３３】
【図１】本発明による値引きシールシート１の全体平面図である。
【図２Ａ】図１のＡ−Ａ断面図である。
【図２Ｂ】図１のＢ−Ｂ断面図である。
【図２Ｃ】剥離紙から引き剥がされた１枚の値引きシールの断面図である。
【図３Ａ】値引きシール１１の好適態様の一つを示す平面図である。
【図３Ｂ】値引きシール１１の好適態様の一つを示す平面図である。
【図３Ｃ】値引きシール１１の好適態様の一つを示す平面図である。
【図４Ａ】商品５０に値引きシール１１を貼付した状態を示す斜視図である。
【図４Ｂ】商品５０に貼付した値引きシール１１から切取用半券部１１ｂを切り取った状態を示す斜視図である。
【符号の説明】
【００３４】
１  値引きシールシート
１０  印刷紙
１１  値引きシール
１１ａ  商品貼付部
１１ｂ  切取用貼付部
１２  切離線部
１３  ミシン目
１４ａ、１４ｂ  切欠き
２０  接着剤層
３０  剥離紙
５０  商品
【図１】
2005292267.tif 000003
【図２Ａ】
2005292267.tif 000004
【図２Ｂ】
2005292267.tif 000005
【図２Ｃ】
2005292267.tif 000006
【図３Ａ】
2005292267.tif 000007
【図３Ｂ】
2005292267.tif 000008
【図３Ｃ】
2005292267.tif 000009
【図４Ａ】
2005292267.tif 000010
【図４Ｂ】
2005292267.tif 000011